(57)【要約】【課題】長期にわたり、通水部材をしっかりと取り付けておくことができる通水部材設置構造を提供する。【解決手段】ノズル１０及び管状体２０を便器に取り付けるには、ホルダ３０を便器外側から第２開口２ａに舌状片３２を押し込むようにして装着する。ホルダ３０を通して管状体２０を第２開口２ａに挿通させる。【選択図】図１
2007169965.tif 000002
【特許請求の範囲】
【請求項１】
第１壁と、
該第１壁に設けられた第１開口と
該第１壁に対峙する第２壁と、
該第２壁に前記第１開口と同軸状に設けられた第２開口と、
該第１開口及び第２開口に挿通され、第１壁及び第２壁に支持された管状の通水部材とを有し、
該通水部材の一端が第１壁から突出し、他端が第２壁から突出している通水部材設置構造において、
該通水部材の該一端側に第１壁に沿って張り出す第１張出部が設けられており、該他端側に第２壁に沿って張り出す第２張出部が設けられており、
該通水部材は、該第２張出部を有した管状体と、該第１張出部を有し、該管状体が螺着された螺着体とを有し、
該第１張出部と第２張出部とによって第１壁及び第２壁が挟持されており、前記第２開口に、環状のホルダが挿入され、該管状体も該ホルダに挿通されており、
該ホルダは、第２開口の第１壁側の縁部に当接した係止部を有することを特徴とする通水部材設置構造。
【請求項２】
請求項１において、第２開口よりも前記他端側の外周に雄ネジが設けられており、
該雄ネジにナットが螺着され、該ナットが第２壁に当接することにより該ホルダが第２壁に固定されていることを特徴とする通水部材設置構造。
【請求項３】
請求項２において、前記第２張出部は、前記管状体の周方向に間隔をおいて複数個設けられており、
前記ホルダには、該第２張出部同士の間に入り込んだ脚片が設けられており、
該脚片に前記雄ネジが設けられていることを特徴とする通水部材設置構造。
【請求項４】
請求項２又は３において、前記管状体の前記他端側の外周にフランジ部が周設され、前記ナットが該フランジ部に対しても当接していることを特徴とする通水部材設置構造。
【請求項５】
請求項４において、前記脚片は該フランジ部の外周側に配置されていることを特徴とする通水部材設置構造。
【請求項６】
請求項５において、前記第２張出部は、該フランジ部から第２壁に向って突設されており、該第２張出部と管状体の外周面との間に間隙が設けられており、
前記ホルダは、該間隙を通って管状体を周回する輪体を有しており、
前記脚片は該輪体から突設されていることを特徴とする通水部材設置構造。
【請求項７】
請求項６において、該ホルダは該輪体から第１壁に向って延出する複数の舌状片を備えており、
該舌状片に前記係止部が設けられていることを特徴とする通水部材設置構造。
【請求項８】
請求項１ないし７のいずれか１項において、前記第１壁は便器の鉢部であり、
前記通水部材は、該鉢部に洗浄水を供給するものであることを特徴とする通水部材設置構造。
【発明の詳細な説明】
【技術分野】
【０００１】
本発明は、便器の鉢部に洗浄水を供給する通水部材の設置構造に適用するのに好適な通水部材設置構造に関する。
【背景技術】
【０００２】
便器の鉢部に洗浄水を供給するための管状の通水部材を便器に固定する場合、通水部材の長手方向の１箇所が便器に固定されるよりも２箇所で固定した方が安定する。
【０００３】
特開２００４−２３２３７４号の図６には、管状通水部材の後端側を便器の外殻部（同号公報では「陶器切り欠き部」と称している。）に固定し、先端側を便器鉢部の内周壁に後方側から押し付ける構成が記載されている。
【特許文献１】特開２００４−２３２３７４号
【発明の開示】
【発明が解決しようとする課題】
【０００４】
上記特開２００４−２３２３７４号では、通水部材を内周壁に押し付ける反力が通水部材に対し外殻部から抜け出る方向に作用するため、取り付け耐久性に難がある。即ち、通水部材の取り付けが経時的に緩くなるおそれが高い。
【０００５】
本発明は、長期にわたり、通水部材をしっかりと取り付けておくことができる通水部材設置構造を提供することを目的とする。
【課題を解決するための手段】
【０００６】
請求項１の通水部材設置構造は、第１壁と、該第１壁に設けられた第１開口と該第１壁に対峙する第２壁と、該第２壁に前記第１開口と同軸状に設けられた第２開口と、該第１開口及び第２開口に挿通され、第１壁及び第２壁に支持された管状の通水部材とを有し、該通水部材の一端が第１壁から突出し、他端が第２壁から突出している通水部材設置構造において、該通水部材の該一端側に第１壁に沿って張り出す第１張出部が設けられており、該他端側に第２壁に沿って張り出す第２張出部が設けられており、該通水部材は、該第２張出部を有した管状体と、該第１張出部を有し、該管状体が螺着された螺着体とを有し、該第１張出部と第２張出部とによって第１壁及び第２壁が挟持されており、前記第２開口に、環状のホルダが挿入され、該管状体も該ホルダに挿通されており、該ホルダは、第２開口の第１壁側の縁部に当接した係止部を有することを特徴とするものである。
【０００７】
請求項２の通水部材設置構造は、請求項１において、第２開口よりも前記他端側の外周に雄ネジが設けられており、該雄ネジにナットが螺着され、該ナットが第２壁に当接することにより該ホルダが第２壁に固定されていることを特徴とするものである。
【０００８】
請求項３の通水部材設置構造は、請求項２において、前記第２張出部は、前記管状体の周方向に間隔をおいて複数個設けられており、前記ホルダには、該第２張出部同士の間に入り込んだ脚片が設けられており、該脚片に前記雄ネジが設けられていることを特徴とするものである。
【０００９】
請求項４の通水部材設置構造は、請求項２又は３において、前記管状体の前記他端側の外周にフランジ部が周設され、前記ナットが該フランジ部に対しても当接していることを特徴とするものである。
【００１０】
請求項５の通水部材設置構造は、請求項４において、前記脚片は該フランジ部の外周側に配置されていることを特徴とするものである。
【００１１】
請求項６の通水部材設置構造は、請求項５において、前記第２張出部は、該フランジ部から第２壁に向って突設されており、該第２張出部と管状体の外周面との間に間隙が設けられており、前記ホルダは、該間隙を通って管状体を周回する輪体を有しており、前記脚片は該輪体から突設されていることを特徴とするものである。
【００１２】
請求項７の通水部材設置構造は、請求項６において、該ホルダは該輪体から第１壁に向って延出する複数の舌状片を備えており、該舌状片に前記係止部が設けられていることを特徴とするものである。
【００１３】
請求項８の通水部材設置構造は、請求項１ないし７のいずれか１項において、前記第１壁は便器の鉢部であり、前記通水部材は、該鉢部に洗浄水を供給するものであることを特徴とするものである。
【発明の効果】
【００１４】
本発明によると、通水部材の第１張出部と第２張出部とで第１壁と第２壁とを挟持するため、通水部材の取り付けが長期間にわたって強固なものとなる。
【００１５】
第２開口にホルダ装着し、通水部材をこのホルダに挿入することにより、通水部材のぐらつきを防止することができる。
【００１６】
このホルダにナットを螺じ込み、このナットを第２壁に当接させることにより、通水部材の取り付けが強固となる。
【００１７】
通水部材にフランジ部を設け、ナットを該フランジ部にも当接させることにより、通水部材の取り付けが強固となる。
【００１８】
ホルダに雄ネジつきの脚片を設け、この脚片を第２張出部同士の間に入り込ませることにより、該脚片にナットを締め込むことができる。
【００１９】
この場合、脚片をフランジ部の外周側に配置することにより、ナット締めの際の脚片の縮径方向への変形を阻止することができる。
【００２０】
第２張出部と管状体との間に間隙を設け、この間隙にホルダの一部（輪体）を入り込ませることが好ましい。これにより、該輪体から第１壁に向って舌状片を長く延設し、この舌状片をたわみ易くすることができる。この結果、この舌状片の先端側に係止部を設けた場合、この係止部が第２管状体を容易に通り抜けることができるようになる。
【発明を実施するための最良の形態】
【００２１】
以下、図面を参照して実施の形態について説明する。第１図は実施の形態に係る通水部材設置構造を示す水平断面図、第２図（ａ），（ｂ）は取り付け途中図、第３図は通水部材設置構造を示す分解斜視図、第４図（ａ），（ｂ）はホルダの斜視図、第５図は通水部材を備えた洋風便器の斜視図である。
【００２２】
第５図の通り、陶器製の洋風便器３の鉢部４の上部内周に向って水を吐出するようにノズル１０が取り付けられている。この実施の形態では、該ノズル１０が螺着体である。
【００２３】
第１図の通り、便器３には鉢部４に臨む第１壁１と、この第１壁１の外側に第１壁１と略平行に設けられた第２壁２とが設けられ、各壁１，２に第１開口１ａと第２開口２ａとが同軸状に設けられている。
【００２４】
上記螺着体としてのノズル１０と、このノズル１０に螺着された管状体２０とによって通水部材が構成されている。
【００２５】
ノズル１０は、吐水口１１を有した先端部１２と、該先端部１２に引き続く筒部１３と、外方に向って突設されたフランジ状の第１張出部１４とを有した筒状である。筒部１３の内周に雌ネジが設けられている。
【００２６】
管状体２０は、直管状であり、先端に雄ネジ２１が設けられ、後端側にフランジ部２２が設けられている。このフランジ部２２から、周方向に一定間隔をおいて複数個（この実施の形態では４個）の第２張出部２３が先端方向に向って突設されている。この第２張出部２３と管状体２０の外周面との間は所定の間隙Ｓ（第３図）があいている。
【００２７】
第２開口２ａにホルダ３０が挿通されている。このホルダ３０は、この間隙Ｓに挿入配置される輪体３１と、該輪体３１から周方向に所定間隔をおいて放射方向に突設された複数個（この実施の形態では４個）の脚片３３と、輪体３１から周方向に所定間隔をおいて、第１壁１に向って、延設された複数個（この実施の形態では４個）の舌状片３２と、この舌状片３２の先端外周側に突設された係止部３２ａとを有する。
【００２８】
脚片３３は、第４図に明瞭に示される通り、輪体３１から放射方向に立ち上がる起立部３３ａと、該起立部３３ａの起立方向先端から舌状片３２と反対方向に延設された延出部３３ｂと、該延出部３３ｂの外周面に設けられた雄ネジ３３ｃとを有する。
【００２９】
係止部３２ａと起立部３３ａとの間の幅は第２壁２の幅よりも広くすることで、第２壁２の幅のバラツキにも対応できるし、そのホルダ自体が可動し、ナット４０で締め付けることができる。
【００３０】
このホルダ３０に螺着するナット４０は、外筒部４１と、該外筒部４１の端部に連絡部４２を介して連なる内筒部４３とを有している。内筒部４３は外筒部４１よりも短い。
【００３１】
なお、ノズル１０、管状体２０、ホルダ３０及びナット４０はいずれも合成樹脂製である。
【００３２】
ノズル１０及び管状体２０を便器に取り付けるには、第２図（ａ）の通り、まずパッキン５０及びスリップワッシャ５１を、第２開口２ａと同心状に、第２壁２の外面に貼り付けておく。そして、ホルダ３０を便器外側から第２開口２ａに舌状片３２を押し込むようにして装着する。この際、舌状片３２は縮径方向に弾性的に撓み、係合部３２ａが第２開口２ａを通過すると、舌状片３２が元形状に復帰し、脚片３３と係止部３２ａとの間に開口２ａの縁部が配置された状態となる。
【００３３】
次に、ホルダ３０を通して管状体２０を第２開口２ａに挿通させる。この際、第２張出部２３をホルダ３０の脚片３３同士の間に入り込ませる。ホルダ３０の輪体３１は間隙Ｓに入り込む。また、第１開口１ａに対し鉢部４側からノズル１０の筒部１３を挿入し、第１張出部１４が第１開口に当接し、第２張出部２３が第２壁２の外面に当接するまで、管状体２０の雄ネジ２１をノズル１０の雌ネジに螺じ込む。これにより、第１壁１と第２壁２とが第１張出部１４と第２張出部２３とで挟持され、ノズル１０及び管状体２０が便器３に固定される。
【００３４】
その後、フランジ部２２の外側の端面にパッキン５２及びスリップワッシャ５３を当接させ、ナット４０を脚片３３の雄ネジ３３ｃに螺じ込む。ナット４０の外筒部４１がパッキン５１を介して第２壁２に当接し、内筒部４３がパッキン５２を介してフランジ部２２に当接する。
【００３５】
このように固定された管状体２０の後端部２４に対しディストリビュータ等のホース状部材を介してロータンクや給水制御弁が接続される。この管状体２０に供給された水がノズル１０を介して鉢部４の内周面の上部に供給され、この水が鉢部４を周回しながら鉢面を流下し、鉢面の洗浄及び汚物排出が行われる。
【００３６】
この通水部材設置構造にあっては、第１張出部１４及び第２張出部２３によって第１壁１と第２壁２とを挟持しており、ノズル１０及び管状体２０よりなる通水部材が便器に対し強固に固定されている。
【００３７】
特に、この実施の形態にあっては、ナット４０の外筒部４１がパッキン５０を介して第２壁２に当接し、内筒部４３がパッキン５２を介してフランジ部２２に当接しており、管状体２０の後部側もナット４０を介して第２壁２に支持されている。このため、管状体２０の支持が堅固である。
【００３８】
また、ホルダ３０もナット４０によって第２壁２に固定され、このホルダ３０に管状体２０が内嵌しているので管状体２０はホルダ３０を介して第２壁２に支持されている。これによっても、管状体２０の支持が堅固なものとなる。
【００３９】
なお、このホルダ３０は、輪体３１が間隙Ｓ内に配置され、この輪体３１から舌状片３２が延出しているので、舌状片３２が第２開口２ａに挿入されるときに舌状片３２が容易に撓み、第２開口２ａに容易に挿入される。
【００４０】
この実施の形態では、脚片３３の延出部３３ｂは、フランジ部２２の外周側に配置されている。ナット４０を強く締め込むことにより、該延出部３３ｂが縮径方向に変形しようとした場合、該延出部３３ｂが該フランジ部２２の外周面に当たるので、該延出部３３ｂが変形することが阻止され、ナット４０を強く締め込むことが可能である。
【００４１】
上記実施の形態では、管状体２０の後端部２４がナット４０を通って後方へ延出しているが、第６，７図に示す実施の形態及び第８〜１０図に示す実施の形態のように、ナット４０Ｂ，４０Ｃに筒状の後方延出部４５を設け、管状体２０Ａ，２０Ｂは該ナット４０Ｂ，４０Ｃ内に止まるように後端部を短くした管状体２０Ａ，２０Ｂを採用してもよい。
【００４２】
なお、第６，７図に示す実施の形態のその他の構成は第１図〜第５図の実施の形態と同様であり、同一符号は同一部分を示している。
【００４３】
第１図〜第５図及び第６，７図の実施の形態ではナット４０，４０Ａの外筒部４１及び内筒部４３をパッキン５０，５２に押し付けるようにしているが、第８図〜第１０図の実施の形態のナット４０Ｂは、内筒部４３を省略し、外筒部４１と第２壁２との間で管状体２０Ｂの第２張出部２３Ｂの一部を構成する外周環部２３ｂを挟持している。
【００４４】
第１０図（ａ），（ｂ）にも示される通り、この実施の形態においても、管状体２０Ｂの後端側にフランジ部２２が設けられている。また、このフランジ部２２からは、周方向に所定間隔をおいて複数個（この実施の形態では４個）の第２張出部２３Ｂが管状体２０Ｂの先端方向に向って突設されている。第２張出部２３Ｂと管状体２０Ｂの外周面との間には間隙Ｓ（第９図）があいており、ホルダ３０の輪体３１が該間隙Ｓに入り込んでいる。
【００４５】
外周環部２３ｂは、各第２張出部２３Ｂに連なり、各第２張出部２３Ｂの外周側を周回している環状体である。
【００４６】
この外周環部２３ｂがパッキン５０及びスリップワッシャ５１を介して第２張出部２の外側面に当接している。外周環部２３ｂに対し、パッキン６０及びスリップワッシャ６１を介してナット４０Ｂが押し付けられている。ナット４０Ｂはホルダ３０の脚片３３の雄ネジ３３ｃに螺合している点は前記各実施の形態と同じである。脚片３３は、管状体２３Ｂの外周面と第２張出部２３Ｂ及びその外周環部２３ｂとで囲まれる孔部Ｃ（第９図）に挿通される。
【００４７】
第８〜１０図の実施の形態を構成するための管状体２０Ｂの取り付け手順は、管状体２０Ｂをホルダ３０に挿入するのに先立ってパッキン５０及びスリップワッシャ５１を第２壁２の外面に配置しておき、外周環部２３ｂを該スリップワッシャ５１及びパッキン５０を介して第２壁２に当接させるように管状体２０Ｂとノズル１４とを螺着させるようにした点を除き、上記各実施の形態と同一である。
【００４８】
上記実施の形態はいずれも本発明の一例であり、本発明は図示以外の形態をもとりうる。本発明は洋風便器への洗浄水供給機構以外の通水部材取付機構に適用可能である。
【図面の簡単な説明】
【００４９】
【図１】実施の形態に係る通水部材設置構造を示す水平断面図である。
【図２】第２図（ａ），（ｂ）は取り付け途中図である。
【図３】通水部材設置構造を示す分解斜視図である。
【図４】第４図（ａ），（ｂ）はホルダの斜視図である。
【図５】通水部材を備えた洋風便器の斜視図である。
【図６】別の実施の形態を示す断面図である。
【図７】図６の分解斜視図である。
【図８】さらに別の実施の形態を示す断面図である。
【図９】図８の分解斜視図である。
【図１０】図８の管状体の斜視図である。
【符号の説明】
【００５０】
１  第１壁
１ａ  第１開口
２  第２壁
２ａ  第２開口
１０  ノズル（螺着体）
２０，２０Ａ，２０Ｂ  管状体
２２  フランジ部
２３，２３Ｂ  管状体
２３ｂ  外周環部
４０，４０Ａ，４０Ｂ  ナット
【図１】
2007169965.tif 000003
【図２】
2007169965.tif 000004
【図３】
2007169965.tif 000005
【図４】
2007169965.tif 000006
【図５】
2007169965.tif 000007
【図６】
2007169965.tif 000008
【図７】
2007169965.tif 000009
【図８】
2007169965.tif 000010
【図９】
2007169965.tif 000011
【図１０】
2007169965.tif 000012